(57)【特許請求の範囲】
【請求項１】
遊技盤の表面に外レールと内レールとを円形状に設けて、打ち込まれる遊技球が転動する遊技領域を区画し、その外レールの内側の終端部分に、同レールに沿って誘導される遊技球が当接して跳ね返される緩衝部材を設けたパチンコ機において、
前記緩衝部材の位置に遊技球の進入可能な球入口を設けると共に当該緩衝部材の緩衝片を駆動手段により作動させることにより該球入口を開閉自在に設け、その球入口から進入する遊技球を遊技領域の外側に導くように設けられた誘導路を設けた入賞室に、前記外レールの内面に沿って当該入賞室内に飛来する遊技球を当接させる衝撃吸収部を設け、その誘導路の終端部に入賞装置を設けたことを特徴とするパチンコ機。
【請求項２】
遊技盤の表面に外レールと内レールとを円形状に設けて、打ち込まれる遊技球が転動する遊技領域を区画し、その外レールの内側の終端部分に、同レールに沿って誘導される遊技球が当接して跳ね返される緩衝部材を設け、その遊技領域には、パチンコ球が入賞しにくい閉成状態から入賞し易い開放状態に切替自在に設けられた始動入賞装置からの入賞信号に基づいて図柄変動ゲームを表示演出する図柄表示装置を設け、その図柄表示装置の特別図柄が所定の図柄を表して停止すると特定遊技状態が発生して大入賞装置の大入賞口をパチンコ球を受け入れる開放状態とし、その開放状態が所定回数だけ繰り返されて多量の景品球を放出することができるように構成したパチンコ機において、
前記緩衝部材の位置に遊技球の進入可能な球入口を設けると共に当該緩衝部材の緩衝片を駆動手段により作動させることにより該球入口を開閉自在に設け、その球入口から進入する遊技球を遊技領域の外側に導くように設けられた誘導路を設けた入賞室に、前記外レールの内面に沿って当該入賞室内に飛来する遊技球を当接させる衝撃吸収部を設け、その誘導路の終端部に前記始動入賞装置若しくは前記大入賞装置の何れかの入賞装置を設けたことを特徴とするパチンコ機。
【発明の詳細な説明】
【０００１】
【発明の属する技術分野】
本発明は、パチンコ機の改良に関する。
【０００２】
【従来の技術】
一般的なパチンコ機においては、遊技盤の表面にほぼ円形状に配置された外レールと内レールとにより囲まれる遊技領域を設け、遊技者の発射ハンドル操作により発射される遊技球を外レールにより誘導して遊技領域に打ち込み、その遊技球が誘導釘や風車等によって方向を変えられたりしつつ転動する間に入賞口への入賞を果たすように遊技を行われる。しかして、発射される遊技球に勢いがあるときには、その遊技球は外レールに沿って右端部まで誘導されるが、その右端部と内レールの上端部との合流箇所に設けられるゴム製の緩衝部材に衝突して遊技領域の中央に向けて跳ね返されるように構成されている。
【０００３】
上記のパチンコ機では、緩衝部材に当たって跳ね返った遊技球がその緩衝部材の近くに配置されている入賞口に入り易いという傾向にある。そこで、緩衝部材の箇所に形成した球入口を開閉するストッパ部材を設け、そのストッパ部材を開閉制御することによって、遊技領域を流下する遊技球の経路と、遊技領域から一旦逸らして再び遊技領域に戻す遊技球の迂回経路を設けることにより、緩衝部材の近くに配置される入賞口の入賞確率を制御するという発明が、特願２００１−３２７６７１号に開示されている。
【０００４】
また、通常のパチンコ機は、遊技領域に通過ゲート、始動入賞装置、普通図柄表示器と４インチ程度の液晶画面の特別図柄表示器を備えた図柄表示装置及び大入賞装置を設け、打ち込まれた遊技球が通過ゲートを通過することにより図柄表示装置の普通図柄表示器が作動して所定の図柄を表して停止し、このときに一定時間だけ遊技球を受け入れやすい開放状態となるように設けられた始動入賞装置に遊技球が入ることにより特別図柄表示器を作動させ、その表示器が所定の図柄を表して停止すると、「大当たり」と言われる特別遊技状態が発生して大入賞装置の大入賞口を遊技球を受け入れる開放状態とし、所定条件に基づいてその開放状態が所定回数だけ繰り返されて多量の景品球を放出することができるような構造とされている。
【０００５】
【発明が解決しようとする課題】
従来のパチンコ機における特別図柄表示器については、大きな液晶画面を用いているために年々大型化の一途をたどっている。かかる特別図柄表示器と普通図柄表示器を備えた図柄表示装置の大型化傾向のために、遊技領域に遊技部品や各種入賞装置を配置するスペースを確保することが困難な状況となっている。このため、本件出願人はかかる現状を鑑みて、特開２００１−３２１５０３号公報にて図柄表示装置の大型化に対応可能な大入賞装置を提案している。
【０００６】
この発明の目的は、図柄表示装置の大型化に対応して遊技領域内の遊技部品を配置するスペースを有効に活用することが可能なパチンコ機を提供することにある。
【０００７】
【課題を解決するための手段】
前記目的を達成するために請求項１に記載した発明は、遊技盤の表面に外レールと内レールとを円形状に設けて、打ち込まれる遊技球が転動する遊技領域を区画し、その外レールの内側の終端部分に、同レールに沿って誘導される遊技球が当接して跳ね返される緩衝部材を設けたパチンコ機において、
前記緩衝部材の位置に遊技球の進入可能な球入口を設けると共に当該緩衝部材を駆動手段により作動させることにより該球入口を開閉自在に設け、その球入口から進入する遊技球を遊技領域の外側に導くように設けられた誘導路を設けた入賞室に、前記外レールの内面に沿って当該入賞室内に飛来する遊技球を当接させる衝撃吸収部を設け、その誘導路の終端部に入賞装置を設けたことを特徴とする。
【０００８】
同様の目的を達成するために請求項２に記載した発明は、遊技盤の表面に外レールと内レールとを円形状に設けて、打ち込まれる遊技球が転動する遊技領域を区画し、その外レールの内側の終端部分に、同レールに沿って誘導される遊技球が当接して跳ね返される緩衝部材を設け、その遊技領域には、パチンコ球が入賞しにくい閉成状態から入賞し易い開放状態に切替自在に設けられた始動入賞装置からの入賞信号に基づいて図柄変動ゲームを表示演出する図柄表示装置を設け、その図柄表示装置の特別図柄が所定の図柄を表して停止すると特定遊技状態が発生して大入賞装置の大入賞口をパチンコ球を受け入れる開放状態とし、その開放状態が所定回数だけ繰り返されて多量の景品球を放出することができるように構成したパチンコ機において、
前記緩衝部材の位置に遊技球の進入可能な球入口を設けると共に当該緩衝部材を駆動手段により作動させることにより該球入口を開閉自在に設け、その球入口から進入する遊技球を遊技領域の外側に導くように設けられた誘導路を設けた入賞室に、前記外レールの内面に沿って当該入賞室内に飛来する遊技球を当接させる衝撃吸収部を設け、その誘導路の終端部に前記始動入賞装置若しくは前記大入賞装置の何れかの入賞装置を設けたことを特徴とする。
【０００９】
【発明の作用及び効果】
（請求項１の発明）
遊技領域に打ち込まれた遊技球は、外レールに誘導されてそのまま遊技領域を転動するか、勢いがあれば緩衝部材の緩衝片に当たって跳ね返されてから遊技領域を転動する。例えば、遊技領域を転動する遊技球が、一般の入賞口や図柄変動ゲームに関連して設けられる通過ゲートを通過したときに、緩衝部材の緩衝片を駆動手段により作動させて球入口を開放させる。しかして、右方の球入口を狙って引き続き打ち込まれる遊技球が開放状態にある球入口に進入すれば、その遊技球は誘導路を通って入賞装置に入賞する。
【００１０】
打ち込まれる遊技球に勢いがあるときには、その遊技球は外レールに沿って誘導され、開放状態にある球入口を通り衝撃吸収部に当たってから誘導路に落下する。しかして、その遊技球は衝撃吸収部に当たることにより、衝撃力が吸収される。
【００１１】
（請求項２の発明）
遊技領域に打ち込まれた遊技球が、図柄変動ゲームに関連して設けられる通過ゲートを通過することにより、図柄表示装置の普通図柄表示器が作動して所定の図柄を表して停止したときに、例えば、緩衝部材の緩衝片を駆動手段により作動させて球入口を開放させる。引き続き打ち込まれる遊技球がその球入口に進入すれば、その遊技球は誘導路を通って始動入賞装置（若しくは大入賞装置）に入賞する。その始動装置に遊技球が入賞することによって図柄表示装置の特別図柄表示器が作動し、その表示器が所定の図柄を表して停止すれば、特別遊技状態が発生する。
【００１２】
打ち込まれる遊技球に勢いがあるときには、その遊技球は外レールに沿って誘導され、開放状態にある球入口を通り衝撃吸収部に当たってから誘導路に落下する。しかして、その遊技球は衝撃吸収部に当たることにより、衝撃力が吸収される。
【００１３】
このパチンコ機は、入賞装置を遊技領域外に設けることにより、図柄表示装置の大型化に対応して遊技領域内の遊技部品や各種入賞装置を配置するためのスペースを確保することができる。加えて、外レールの内側の終端部分に設けられる緩衝部材については、外レールに沿って誘導される勢いのある遊技球を跳ね返すという本来の機能と、入賞装置の開閉扉としての機能を効率よく発揮することができる。
【００１４】
【発明の実施の形態】
以下に、本発明の実施の形態例を図面に基づいて説明する。図１はパチンコ機の遊技盤面の説明図、図２は遊技盤面の要部の正面図、図３は緩衝部材により（ａ）球入口を閉じた状態、（ｂ）球入口を開いた状態とを示す説明図、図４は大入賞装置において（ａ）遊技球を普通入賞口に誘導する態様、（ｂ）遊技球を特定入賞口に誘導する態様とを示す説明図である。
【００１５】
図１において、このパチンコ機の遊技盤１の表面には、ほぼ円形状に配置された外レール２と内レール３とにより囲まれる遊技領域ｒを設け、その外レール２の外側上方にプラスチック製レール飾り４が設けられている。そして、外レール２の内側の終端部分２ａには、外レール２に沿って誘導される勢いのある遊技球ｘを当接させて跳ね返すための緩衝部材１５を設けている。
【００１６】
緩衝部材１５を設置する箇所には、勢いよく打ち込まれる遊技球ｘの進入可能な球入口５を設け、その球入口５から進入する遊技球ｘを遊技領域ｒの外側に導くための誘導路７を設けた入賞室６が前記レール飾り４に一体に形成されている。８は入賞室６の前面に装着された透明な視認用レンズである。１０は外レール２の内面に沿って入賞室６内に飛来する遊技球ｘを当接させてその遊技球ｘにより発生する衝撃力を吸収する衝撃吸収部である。この衝撃吸収部１０は、レール飾り４に一体に形成された突部９に固定されている。
【００１７】
１６は遊技盤１に固定される駆動手段たるソレノイドである。そのソレノイド１６のプランジャー１６ａの先端には、緩衝片１８を設けている。図３に示すように、この緩衝部材１５は、ソレノイド１６が非励磁のときにコイルバネ１７の弾発力によって緩衝片１８を前進位置に保持させて通常の（ａ）球入口５を閉じた状態とし、他方、ソレノイド１６が励磁されたときに緩衝片１８を後退移動させて（ｂ）球入口５を開いた状態に切換自在に設けられている。
【００１８】
なお、この実施の形態例において、上記緩衝片１８は後述する大入賞装置２０の開閉扉の機能を兼用するように設けられており、上記球入口５は大入賞装置２０の大入賞口に相当する機能を有するように設けられている。また、緩衝部材１５については、上記ソレノイド１６に代えてモータ装置を使用することにより緩衝片１８を進退移動させる機構とすることも可能である。
【００１９】
２０は入賞室６の奥壁に形成された開口部６ａに臨むように設けられた「入賞装置」としての大入賞装置である。この大入賞装置２０については、本件出願人にかかる登録新案第３０６３８４５号の「パチンコ機の変動入賞装置」の実用新案公報に開示されている構造に準じた構造とされている。なお、本件発明では大入賞装置の構造について権利を取得することを目的としないことから、図４に基づいて構造の概要を簡単に説明することにする。
【００２０】
即ち、大入賞装置２０は、入賞室６の開口部６ａに球入口５から流入する遊技球ｘを受け入れる受け口２１を設け、その受け口２１に連通するように形成されたケース２２内に、受け口２１を通過した遊技球を一定方向に導く縦向きの誘導片２６と、同誘導片２６の下部にその遊技球を乗せて通過させる円盤形状の支持片２７が一体に形成された弁体２５を設けている。その弁体２５は、ケース２２の後方に設置されたソレノイド３０の駆動により平面から見て時計方向又は反時計方向に所定角度だけ回転自在に設けられ、上記誘導片２６の向きを受け口２１の後方に配置された普通入賞口２３又は特定入賞口２４に対応するように切換自在に設けられている。
【００２１】
かかる構成になる大入賞装置２０の作動について説明する。
まず、球入口５が開放されている状態のときに遊技球ｘが入賞室６に入ったとする。図４（ｂ）において、その遊技球ｘは受け口２１を通過して誘導片２６に衝突し、同誘導片２６により導かれて特定入賞口２４に入ると、遊技球ｘの通過が図示しない検出スイッチによってカウントされると共に、その検知信号によりソレノイド３０が作動する。これにより、その弁体２５は、図４（ａ）に示すように、ソレノイド３０の駆動により平面から見て反時計方向に所定角度だけ回転し、その向きを普通入賞口２３に対応するように切り替えられる。そして、普通入賞口２３に入った遊技球が一定数、若しくは特定入賞口２４と普通入賞口２３に入った遊技球の総数が一定数になると、前記緩衝部材１５の緩衝片１８がソレノイド１６の駆動により前進移動して球入口５を閉じる。かかる一連の動作は、最高で１６回まで繰り返し行われる。
しかして、１６回の特定入賞口２４への入賞動作が終わると、上記緩衝片１８により球入口５が閉じられて特別遊技状態は終了する。
【００２２】
また、このパチンコ機は、通常のパチンコ機と同様に、遊技領域ｒに通過ゲート（図示せず）、始動入賞装置（図示せず）、普通図柄表示器と特別図柄表示器を備えた図柄表示装置（図示せず）及び前記大入賞装置２０を設けて、公知の図柄変動ゲームを行うように構成されているものとする。この図柄ゲームについては、打ち込まれた遊技球が通過ゲートを通過することにより図柄表示装置の普通図柄表示器が作動して所定の図柄を表して停止し、このときに一定時間だけ遊技球を受け入れやすい開放状態となるように設けられた始動入賞装置に遊技球が入ることにより図柄表示装置の特別図柄表示器を作動させ、その表示器が所定の図柄を表して停止すると、特別遊技状態が発生して大入賞装置２０の大入賞口、即ち球入口５を遊技球を受け入れる開放状態とし、所定条件に基づいてその開放状態が所定回数だけ繰り返されて遊技者が多量の景品球を獲得することができるという内容とされている。
【００２３】
この実施の形態例においては、誘導路７の終端部に大入賞装置２０を設ける構成としているところ、この大入賞装置２０に代えて始動入賞装置を設ける構成とすることも可能である。
なお、このパチンコ機の作動及び図柄ゲームについては、発明の作用の項その他の構成部分の内容中に既に述べているので、ここで改めて説明をしない。
【００２４】
以上の通り、このパチンコ機は、入賞装置を遊技領域外に設けることにより、図柄表示装置の大型化に対応して遊技領域内の遊技部品や各種入賞装置を配置するためのスペースを確保することができる利点がある。
【図面の簡単な説明】
【図１】  パチンコ機の遊技盤面の説明図
【図２】  遊技盤面の要部の正面図
【図３】  緩衝部材により（ａ）球入口を閉じた状態、（ｂ）球入口を開いた状態を示す説明図
【図４】  大入賞装置において（ａ）遊技球を普通入賞口に誘導する態様、（ｂ）遊技球を特定入賞口に誘導する態様とを示す説明図
【符号の説明】
１・・・遊技盤
ｒ・・・領域
ｘ・・・遊技球
２・・・外レール
２ａ・・・終端部分
３・・・内レール
５・・・球入口
６・・・入賞室
７・・・誘導路
１０・・・衝撃吸収部
１５・・・緩衝部材
１６・・・ソレノイド（駆動手段）
１８・・・緩衝片
２０・・・大入賞装置
【図１】
0003881279.tif 000002
【図２】
0003881279.tif 000003
【図３】
0003881279.tif 000004
【図４】
0003881279.tif 000005